(57)【要約】【課題】チェーンソーやポールソー等で、ソーチェーンの交換作業の作業性を向上させる。【解決手段】ソーチェーン２０をガイドバー１５に仮固定するソーチェーンの仮固定具３０であって、仮固定具３０は、ガイドバー１５の側面に沿って幅方向に延びる基部３１と、基部３１の両端にてソーチェーン２０をガイドバー１５の幅方向の外側に移動するのを規制するようにして、ソーチェーン２０をガイドバー１５に仮固定した。【選択図】図５
2018158472.tif 000002
【特許請求の範囲】
【請求項１】
ソーチェーンをガイドバーに仮固定するソーチェーンの仮固定具であって、
前記仮固定具は、前記ガイドバーの幅方向の両側にて前記ソーチェーンを前記ガイドバーの幅方向の外側へ移動するのを規制するようにして、前記ソーチェーンを前記ガイドバーに仮固定したことを特徴するソーチェーンの仮固定具。
【請求項２】
請求項１に記載のソーチェーンの仮固定具において、
前記仮固定具は、前記ガイドバーの側面に沿って幅方向に延びる基部と、前記基部の両端にて前記ソーチェーンを前記ガイドバーの幅方向の外側へ移動するのを規制する規制部とを備えたことを特徴とするソーチェーンの仮固定具。
【請求項３】
請求項１または２に記載のソーチェーンの仮固定具において、
前記ガイドバーと前記ソーチェーンの少なくとも一方には強磁性体材料が用いられ、
前記仮固定具には磁石を備えるようにし、
前記仮固定具を前記磁石の磁力によって前記前記ガイドバーと前記ソーチェーンの少なくとも一方に着脱可能に取り付けるようにしたことを特徴とするソーチェーンの仮固定具。
【請求項４】
請求項１に記載のチェーンソーの仮固定具において、
前記仮固定具が前記ガイドバーと前記ソーチェーンを覆う筒形のガイドバーケースに一体的に形成されたものであって、
前記仮固定具は前記ガイドバーケースの内周部の前記ガイドバーの幅方向の両側に対向する位置に前記ソーチェーンを前記ガイドバーの幅方向の外側へ移動するのを規制する規制部を備えたことを特徴とするソーチェーンの仮固定具。
【請求項５】
請求項４に記載のソーチェーンの仮固定具において、
前記規制部は前記ソーチェーンを前記ガイドバーの幅方向の外側へ移動するのを規制する規制位置と、外側に待避させた待避位置との間で前記ガイドバーケースに移動可能に設けられたことを特徴とするソーチェーンの仮固定具。
【請求項６】
請求項１に記載のソーチェーンの仮固定具において、
前記ガイドバーと前記ソーチェーンには強磁性体材料が用いられるとともに、
前記ガイドバーと前記ソーチェーンを覆う筒形のガイドバーケースに磁石を備えるようにし、
前記ソーチェーンを取り付けた前記ガイドバーを前記ガイドバーケースに差し込んだときには前記磁石によって前記ガイドバーを磁化させ、磁化させた前記ガイドバーに前記ソーチェーンを吸着させることにより、前記ガイドバーの幅方向の両側にて前記ソーチェーンを前記ガイドバーの幅方向の外側へ移動するのを規制するようにして、前記ソーチェーンを前記ガイドバーに仮固定するようにしたことを特徴とするソーチェーンの仮固定具。
【請求項７】
ソーチェーンをガイドバーの外周に取り付ける工程と、
前記ガイドバーの幅方向の両側にて前記ソーチェーンを前記ガイドバーの幅方向の外側へ移動するのを規制する仮固定具を用いて前記ソーチェーンを前記ガイドバーに仮固定する工程と、
前記ソーチェーンが仮固定された前記ガイドバーをチェーンソーの本体ケーシングまたはポールソーの支持棹の先端部に取り付ける工程とを備えるソーチェーンの取付方法。
【発明の詳細な説明】
【技術分野】
【０００１】
本発明は、チェーンソーやポールソーに用いられるソーチェーンをガイドバーの外周部とスプロケットとの間に回転可能に取り付ける取付作業時に用いられるものであって、ソーチェーンをガイドバーに仮固定するソーチェーンの仮固定具及び該仮固定具を用いたソーチェーンの取付方法に関する。
【背景技術】
【０００２】
特許文献１には、木材等の木を切断するチェーンソーが開示されている。このチェーンソーは、本体ケーシングの側面前部に電動モータ等の駆動源によって回転するスプロケットと、スプロケットの前側に薄板状のガイドバーとを備え、スプロケットとガイドバーの外周部との間にソーチェーンが張設されている。ソーチェーンは木材を切断するカッターと駆動力を受け止めるドライブリンクとをタイトストラップにより連結したものであり、ドライブリンクに設けた突起部がガイドバーの外周部に形成された凹溝に移動可能に係合している。
【０００３】
このチェーンソーを用いて木材の切断作業を繰り返すと、ソーチェーンのカッターが摩耗によって劣化するため、ソーチェーンを定期的に交換する必要がある。ソーチェーンを交換するときには、本体ケーシングからガイドバーを取り外すことで、ソーチェーンをガイドバーとスプロケットの間で張設された状態から弛め、ソーチェーンをガイドバーとスプロケットから取り外すようにする。新しいソーチェーンを取り付けるときには、取り外したガイドバーの外周部の凹溝にソーチェーンのドライブリンクの突起部を係合させて、ガイドバーにソーチェーンを予め取り付けておき、ガイドバーをスプロケットに近づけて、ソーチェーンをガイドバーとスプロケットとの間で張設する。
【先行技術文献】
【特許文献】
【０００４】
【特許文献１】特開２０１５−０７４１９３号公報
【発明の概要】
【発明が解決しようとする課題】
【０００５】
ソーチェーンを交換するときには、ガイドバーが本体ケーシングの上側に位置するように、チェーンソーを左側に倒して交換作業をすることが多い。ソーチェーンの交換作業をするときには、ガイドバーの外周部の凹溝にソーチェーンのドライブリンクの突起部を係合させて、ガイドバーにソーチェーンを予め取り付けておき、ソーチェーンを取り付けたガイドバーをスプロケットに近づけて、ソーチェーンをガイドバーとスプロケットとの間で張設する。このとき、ソーチェーンがガイドバーから外れやすく、ソーチェーンをガイドバーから外れないようにしながらソーチェーンの交換作業をするのが面倒であった。本発明は、チェーンソーやポールソー等で、ソーチェーンの交換作業の作業性を向上させることを目的とする。
【課題を解決するための手段】
【０００６】
上記課題を解決するために、本発明は、ソーチェーンをガイドバーに仮固定するソーチェーンの仮固定具であって、仮固定具は、ガイドバーの幅方向の両側にてソーチェーンをガイドバーの幅方向の外側へ移動するのを規制するようにして、ソーチェーンをガイドバーに仮固定したことを特徴するソーチェーンの仮固定具を提供するものである。
【０００７】
上記のように構成したソーチェーンの仮固定具においては、ガイドバーの幅方向の両側にてソーチェーンをガイドバーの幅方向の外側へ移動するのを規制するようにして、ソーチェーンをガイドバーに仮固定したので、ソーチェーンがガイドバーから外れにくくなり、ソーチェーンの交換作業の作業性を向上させることができた。
【０００８】
上記のように構成したソーチェーンの仮固定具の一実施形態においては、仮固定具は、ガイドバーの側面に沿って幅方向に延びる基部と、基部の両端にてソーチェーンをガイドバーの幅方向の外側へ移動するのを規制する規制部とを備えるようにした。このようにしたときには、ソーチェーンはガイドバーの幅方向の両側にて一対の規制部によって外側に移動するのが規制されて、ソーチェーンがガイドバーに仮固定されるようになる。この実施形態では、ガイドバーとソーチェーンの少なくとも一方には強磁性体材料が用いられ、仮固定具には磁石を備えるようにし、仮固定具を磁石の磁力によってガイドバーとソーチェーンの少なくとも一方に着脱可能に取り付けるようにするのが好ましい。このようにしたときには、仮固定具を磁石の磁力によりガイドバーまたはソーチェーンに着脱可能に吸着させることができ、ソーチェーンをガイドバーに仮固定する際に仮固定具の着脱が容易となる。
【０００９】
上記課題を解決するために、本発明の他の実施形態では、仮固定具がガイドバーとソーチェーンを覆う筒形のガイドバーケースに一体的に形成されたものであって、仮固定具はガイドバーケースの内周部のガイドバーの幅方向の両側に対向する位置にソーチェーンをガイドバーの幅方向の外側へ移動するのを規制する規制部を備えたことを特徴とするソーチェーンの仮固定具を提供するものである。また、この実施形態の仮固定具では、規制部はソーチェーンをガイドバーの幅方向の外側へ移動するのを規制する規制位置と、外側に待避させた待避位置との間でガイドバーケースに移動可能に設けるようにしてもよい。
【００１０】
上記課題を解決するために、本発明のさらに他の実施形態では、ガイドバーとソーチェーンには強磁性体材料が用いられるとともに、ガイドバーとソーチェーンを覆う筒形のガイドバーケースに磁石を備えるようにし、ソーチェーンを取り付けたガイドバーをガイドバーケースに差し込んだときには磁石によってガイドバーを磁化させ、磁化させたガイドバーにソーチェーンを吸着させることにより、ガイドバーの幅方向の両側にてソーチェーンをガイドバーの幅方向の外側へ移動するのを規制するようにして、ソーチェーンをガイドバーに仮固定するようにしたことを特徴とするソーチェーンの仮固定具を提供するものである。
【００１１】
上記課題を解決するために、本発明はさらに、ソーチェーンをガイドバーの外周に取り付ける工程と、ガイドバーの幅方向の両側にてソーチェーンをガイドバーの幅方向の外側へ移動するのを規制する仮固定具を用いてソーチェーンをガイドバーに仮固定する工程と、ソーチェーンが仮固定されたガイドバーをチェーンソーの本体ケーシングまたはポールソーの支持棹の先端部に取り付ける工程とを備えるソーチェーンの取付方法を提供するものである。
【図面の簡単な説明】
【００１２】
【図１】本発明のソーチェーンの仮固定具を用いるチェーンソーの側面図である。
【図２】スプロケットカバーを外した状態でのチェーンソーの前部の側面図である。
【図３】ソーチェーンの一部拡大図である。
【図４】第１実施形態の仮固定具によってソーチェーンをガイドバーに仮固定した状態で、ガイドバーとスプロケットとの間に張設する前の状態の側面図である。
【図５】Ａ−Ａ断面図である。
【図６】基部に磁石を設けた仮固定具の図３に相当する断面図である。
【図７】第２実施形態の仮固定具として用いるガイドバーケースをガイドバーに装着したチェーンソーの側面図である。
【図８】（ａ）はＢ−Ｂ断面図であり、（ｂ）はＣ−Ｃ断面図である。
【図９】第２実施形態の仮固定具の変形例の図８（ａ）に相当する断面図である。
【図１０】第３実施形態の仮固定具の図８（ａ）に相当する断面図である。
【図１１】本発明のソーチェーンの仮固定具を用いるポールソーの斜視図である。
【発明を実施するための最良の形態】
【００１３】
以下、本発明のソーチェーンの仮固定具の実施形態を図面を参照して説明する。本発明のソーチェーンの仮固定具は、ソーチェーンをガイドバーの外周部とスプロケットとの間に回転可能に取り付ける取付作業時に用いられるものであり、ガイドバーの幅方向の両側にてソーチェーンをガイドバーの幅方向の外側へ移動するのを規制することでソーチェーンをガイドバーに仮固定するようにしたものである。仮固定具は、ソーチェーンをガイドバーとスプロケットの外周部でゆっくりと回動させるだけで直ぐに外れる強さでソーチェーンをガイドバーに取り付けるものであり、ソーチェーンをガイドバーに一時的に外れないように取り付けるためのものである。
【００１４】
本発明のソーチェーンの仮固定具を用いるチェーンソーは、図１及び図２に示したように、本体ケーシング１１と、本体ケーシング１１内に設けた駆動源となる電動モータ１２と、本体ケーシング１１の後部に設けたリアハンドル１３と、本体ケーシング１１の前部に設けたフロントハンドル(図示省略）とを備えている。本体ケーシング１１内に設けた電動モータ１２の駆動により回転する回転軸１２ａは本体ケーシング１１の右側面中間部から外側に突出しており、回転軸１２ａの先端部にはスプロケット１４が固定されている。
【００１５】
図２に示したように、本体ケーシング１１の右側面にはスプロケット１４の前側にガイドバー１５が着脱可能に固定されており、ガイドバー１５は本体ケーシング１１の右側面前部から前方に突出している。ガイドバー１５は前後方向に長いステンレス等の金属製の薄板よりなり、ガイドバー１５の幅方向が上下方向となり、ガイドバー１５の厚み方向が左右方向となるように配置されている。図５に示したように、ガイドバー１５の外周部には凹溝１５ａが形成されており、凹溝１５ａには後述するソーチェーン２０のドライブリンク２２の突起部２２ａが移動可能に係合している。図１に示したように、本体ケーシング１１の右側面前部にはスプロケットカバー１６が着脱可能に設けられており、スプロケットカバー１６はスプロケット１４とガイドバー１５の基端部を着脱可能に覆っている。
【００１６】
図３に示したように、ソーチェーン２０は、木材を切断するカッター２１と、駆動力を受け止めるドライブリンク２２とをタイトストラップ２３によりループ状に連結したものである。図３に示したように、ドライブリンク２２に設けた突起部２２ａがガイドバー１５の外周部に形成された凹溝１５ａ及びスプロケット１４に移動可能に係合している。
【００１７】
このようなチェーンソー１０においては、ソーチェーン２０のカッター２１は木材の切断作業による摩耗によって劣化するため、ソーチェーン２０を定期的に交換する必要がある。本発明のソーチェーンの仮固定具は、ソーチェーン２０の交換作業に用いられるものであり、ソーチェーン２０をガイドバー１５に仮固定するのに用いられる。
【００１８】
（第１実施形態）
図４及び図５に示したように、第１実施形態のソーチェーンの仮固定具３０は、ガイドバー１５の側面に沿って幅方向に延びる基部３１と、基部３１のガイドバー１５の幅方向の両端にて厚み方向に延び、ソーチェーン２０をガイドバー１５の幅方向の外側へ移動するのを規制する一対の規制部３２とを備え、基部３１と規制部３２を樹脂材にて一体的に形成したものである。基部３１はガイドバー１５の幅の長さと、ガイドバー１５の幅方向の両側に配置されるソーチェーン２０の高さとを加算した長さと略同じとなっている。また、規制部３２は基部３１の両端にてソーチェーン２０をガイドバー１５の幅方向の外側に移動するのを規制して、ソーチェーン２０がガイドバー１５の幅方向の両側にて外側に外れるのを防ぐようにしている。
【００１９】
上記のように構成したソーチェーンの仮固定具３０を用いたソーチェーン２０の取付方法について説明する。ソーチェーン２０の取付方法は、ソーチェーン２０をガイドバー１５の外周に取り付ける第１の工程と、ガイドバー１５の幅方向の両側にてソーチェーン２０をガイドバー１５の幅方向の外側へ移動するのを規制する仮固定具３０を用いてソーチェーン２０をガイドバー１５に仮固定する第２の工程と、ソーチェーン２０が仮固定されたガイドバー１５をチェーンソー１０の本体ケーシング１１に取り付ける第３の工程とを備え、このソーチェーン２０の取付方法によりソーチェーン２０はガイドバー１５に仮固定された状態でチェーンソー１０の本体ケーシング１１に取り付けられる。
【００２０】
このソーチェーンの仮固定具３０を用いてガイドバー１５の外周部にソーチェーン２０を仮固定する第２の工程では、規制部３２を基部３１の両側から外側に拡がるように弾性変形させ、基部３１をガイドバー１５の側面に近づけるとともに、一対の規制部３２をソーチェーン２０の外側でガイドバー１５の幅方向の両側から挟むようにする。この状態では、ソーチェーン２０はガイドバー１５の幅方向の外側への移動が規制され、ソーチェーン２０はガイドバー１５の外周部に仮固定された状態となり、ソーチェーン２０はガイドバー１５の外周部から外れないようになる。ソーチェーン２０を仮固定具３０によってガイドバー１５に仮固定した後の第３の工程では、ガイドバー１５の基端部をスプロケット１４に近づけた状態として、図４に示したように、ガイドバー１５の外周部に仮固定したソーチェーン２０をスプロケット１４の外周部に巻き付ける。ソーチェーン２０をスプロケット１４の外周部に巻き付けた後は、図２に示したように、ソーチェーン２０を弛まない位置でガイドバー１５を本体ケーシング１１に固定する。
【００２１】
上記のように構成したソーチェーンの仮固定具３０を用いることにより、ソーチェーン２０はガイドバー１５の幅方向の両側にて仮固定具３０の一対の規制部３２によってガイドバー１５の幅方向の外側に移動するのが規制されて、ソーチェーン２０がガイドバー１５に仮固定されるようになる。ソーチェーン２０は仮固定具３０によってガイドバー１５の外周部に仮固定されるので、ガイドバー１５の基端部をスプロケット１４に近づけて、ソーチェーン２０をスプロケット１４の外周部に巻き付けるときに、ソーチェーン２０がガイドバー１５の外周部から外れないようにでき、ソーチェーン２０の交換作業の作業性を向上させることができた。また、環状のバンドを用いてソーチェーン２０をガイドバー１５に仮固定したときには、環状のバンドを外し忘れてソーチェーン２０を回転させると、環状のバンドが外れないために、環状のバンドが破損するおそれがある。これに対し、このソーチェーンの仮固定具３０は、ガイドバー１５の側面に沿って配置され、ガイドバー１５の幅方向に延びる基部３１の両端でガイドバー１５の幅方向の両側でソーチェーン２０を挟み込むようにした一対の規制部３２によってソーチェーン２０を仮固定するようにしたものであるので、仮固定具３０を外し忘れてソーチェーン２０を回転させても、仮固定具３０はガイドバー１５の側面から外れ落ちるので、ソーチェーン２０を間違って回転させても破損しないようにすることができる。
【００２２】
また、この実施形態のチェーンソー１０のガイドバー１５及びソーチェーン２０は、ステンレス等の磁石に吸い付けられる強磁性体材料を用いたものである。ここで強磁性体材料は、鉄、コバルト、ニッケル及びこれらの少なくとも１つを含んだ合金の素材を用いたものであり、磁石により吸い付けられるものである。第１実施形態のソーチェーンの仮固定具３０においては、図６に示したように、ソーチェーンの仮固定具３０の基部３１に磁石３３を設け、仮固定具３０を磁石３３の磁力によって強磁性体材料を用いたガイドバー１５に吸着させてもよい。仮固定具３０を磁石３３の磁力によってガイドバー１５に吸着させたときには、仮固定具３０がガイドバー１５から外れにくくなり、ソーチェーン２０を取り付けたガイドバー１５に仮固定具３０を取り付けやすくすることができた。また、仮固定具３０を磁石３３の磁力によりガイドバー１５に着脱可能に吸着させているので、仮固定具３０を取り付けた状態で、ソーチェーン２０を誤って回転させても、仮固定具３０が磁石３３の磁力に抗してガイドバー１５及びソーチェーン２０から外れるため、仮固定具３０が破損しないようにできた。なお、基部３１の両端または規制部３２に磁石を設け、仮固定具３０を磁石の磁力によって強磁性体材料を用いたソーチェーン２０に着脱可能に吸着させてもよい。
【００２３】
（第２実施形態）
第２実施形態のソーチェーンの仮固定具３０は、ガイドバー１５とソーチェーン２０を覆う筒形のガイドバーケース３４に一体的に形成されたものである。図７に示したように、ガイドバーケース３４はガイドバー１５よりの一回り大きな大きさをし、厚み方向（左右方向）よりも幅方向（上下方向）の長さが長い前後方向に延びる筒形をして、ガイドバー１５とソーチェーン２０を着脱可能に覆うものである。図８に示したように、仮固定具３０は、ガイドバーケース３４の内周部のガイドバー１５の幅方向の両側に対向する位置に内側に突き出る規制部３２を備えており、規制部３２はソーチェーン２０をガイドバー１５の幅方向の外側に移動するのを規制するものである。
【００２４】
ソーチェーン２０の取付方法における上記の第２の工程を行うときに、ソーチェーンの仮固定具３０を一体的に備えたガイドバーケース３４に、ソーチェーン２０を取り付けたガイドバー１５を差し込むと、ソーチェーン２０はガイドバーケース３４内の規制部３２によってガイドバー１５の幅方向の外側に移動するのが規制される。この状態では、ソーチェーン２０はガイドバー１５の外周部に仮固定された状態となり、ソーチェーン２０はガイドバー１５の外周部から外れないようになる。ソーチェーン２０を仮固定具３０によってガイドバー１５に仮固定した後の第３の工程では、ガイドバー１５の基端部をスプロケット１４に近づけた状態として、ガイドバー１５の外周部に仮固定したソーチェーン２０をスプロケット１４の外周部に巻き付ける。ソーチェーン２０をスプロケット１４の外周部に巻き付けた後は、ソーチェーン２０を弛まない位置でガイドバー１５を本体ケーシング１１に固定する。
【００２５】
また、第２実施形態のソーチェーンの仮固定具として用いたガイドバーケース３４の変形例では、図９に示したように、規制部３２はソーチェーン２０をガイドバー１５の幅方向の外側に移動するのを規制する規制位置（図９の実線で示した）と、外側に待避させた待避位置（図９の２点鎖線で示した）との間でガイドバーケース３４に移動可能に設けられたものである。ソーチェーン２０を取り付けたガイドバー１５をガイドバーケース３４に差し込み、ガイドバーケース３４を把持した手の指で一対の規制部３２をガイドバーケース３４内に移動させると、ソーチェーン２０は一対の規制部３２によってガイドバー１５の幅方向の外側に移動が規制され、ガイドバー１５に仮固定される。なお、規制部３２をガイドバーケース３４の内側に突出させて、ガイドバーケース３４にガイドバー１５を差し込むことで、規制部３２を外側に待避させつつ、ソーチェーン２０を規制部３２によってガイドバー１５の幅方向の外側に移動するのを規制させるようにしてもよい。このようにしたときにも、上述した第１位実施形態と同様の作用効果を得ることができる。
【００２６】
（第３実施形態）
第３実施形態のソーチェーンの仮固定具３０は、ガイドバー１５とソーチェーン２０を覆う筒形のガイドバーケース３４に磁石３５を備えたものである。この磁石３５は強磁性体材料を用いたガイドバー１５を磁化させ、磁化させたガイドバー１５に強磁性体材料を用いたソーチェーン２０を吸着させることにより、ガイドバー１５の幅方向の両側にてソーチェーン２０をガイドバー１５の幅方向の外側へ移動するのを規制するようにして、ソーチェーン２０をガイドバー１５に仮固定するようにしたものである。このようにしたときにも、上述した第１及び第２実施形態と同様の作用効果を得ることができる。
【００２７】
上記の各実施形態のソーチェーンの仮固定具は、上述したチェーンソーに用いるだけでなく、図１１に示したように、支持棹４１の先端部に設けたスプロケット（図示省略）とガイドバー１５との間にソーチェーン２０を張設したポールソーにも使用されるものである。上記の各実施形態のソーチェーンの仮固定具を図１１に示したようなポールソーに適用したときでも上述した各実施形態の作用効果を得ることができる。
【符号の説明】
【００２８】
１４…スプロケット、１５…ガイドバー、２０…ソーチェーン、３０…ソーチェーンの仮固定具、３１…基部、３２…規制部、３３…磁石、３４…ガイドバーケース、３５…磁石。
【図１】
2018158472.tif 000003
【図２】
2018158472.tif 000004
【図３】
2018158472.tif 000005
【図４】
2018158472.tif 000006
【図５】
2018158472.tif 000007
【図６】
2018158472.tif 000008
【図７】
2018158472.tif 000009
【図８】
2018158472.tif 000010
【図９】
2018158472.tif 000011
【図１０】
2018158472.tif 000012
【図１１】
2018158472.tif 000013